【事件の表示】
　特願２０１２−５０２８４５「自動存在検出のためのセンサのエネルギ効率の良いカスケード接続」拒絶査定不服審判事件〔平成２２年１０月　７日国際公開、ＷＯ２０１０／１１３０７５、平成２４年　９月２０日国内公表、特表２０１２−５２２２４１〕について、次のとおり審決する。
【結　論】
　本件審判の請求は、成り立たない。
【理　由】
第１　手続の経緯
　本願は、２０１０年３月２４日（パリ条約による優先権主張２００９年３月３１日、欧州）を国際出願日とする出願であって、平成２３年９月２６日に翻訳文が提出され、平成２５年１１月１２日付けで拒絶理由が通知され、これに対して同年１２月２７日に意見書が提出されるとともに同日付けで手続補正がなされたが、平成２６年２月７日付けで拒絶査定がされ、これに対し、同年６月１１日に拒絶査定不服審判が請求されたものである。
第２　本願発明について
１　本願発明
　本願の請求項１に係る発明（以下「本願発明」という。）は、平成２５年１２月２７日付けの手続補正により補正された特許請求の範囲の請求項１に記載された以下のとおりのものである。
「【請求項１】
　少なくとも３つのカスケード接続されるセンサを有するシステムであって、前記センサが、前記カスケードにおいて、各々の電力消費量が高くなっていく順に、且つ各々のセンサ精度が高くなっていく順に、並べられるシステムを用いて、所定の空間内の存在を検出するための方法であって、
　前記カスケード内の最初のセンサを起動させるステップａ）と、
　前記最初のセンサが存在を検出するまで待つステップｂ）と、
　存在が検出される場合、前記カスケード内の次のセンサを起動させるステップｃ）と、
　前記次のセンサが存在を検出する場合、前記カスケード内の全てのセンサが起動されるまでステップｃ）を繰り返し、又は前記次のセンサが存在を検出しない場合、ステップｂ）に戻るステップｄ）と、
　前記カスケード内の最終センサが存在を検出するのに応じて確認メッセージを出力装置に送信するステップｅ）とを有する方法。」
２　引用例
（１）　原査定の拒絶の理由に引用され、本願の優先日前に頒布された刊行物である特開２００４−２２０２２４公報（以下、「引用例」という。）には、次の事項が記載されている（下線は当審において付加したものである）。
ア　「【請求項１】
物体を検知する第１のセンサと、
前記物体を検知する第２のセンサと、
前記第１のセンサと前記第２のセンサに電力を供給する電池と、
通常状態において、前記第２のセンサに電力を供給せずに前記第１のセンサに電力を供給し、前記第１のセンサにより異常が検知されたとき、前記第２のセンサに電力を供給する電力供給制御手段と
を備え
【請求項２】
前記第１のセンサは、前記第２のセンサより消費電力が小さいセンサである
ことを特徴とする請求項１に記載の物体検知装置。
【請求項３】
前記第１のセンサは赤外線センサであり、前記第２のセンサはマイクロ波センサである
ことを特徴とする請求項２に記載の物体検知装置。
【請求項４】
前記第２のセンサより消費電力が大きい
第３のセンサ
を
備え
【請求項５】
前記
第３のセンサは、ビデオカメラ
である
ことを特徴とする請求項４に記載の物体検知装置。
【請求項６】
前記第２のセンサは、前記物体が接近しているのか、または遠ざかっているのかを検知するセンサである
ことを特徴とする請求項４に記載の物体検知装置。
【請求項７】
前記電力供給制御手段は、前記第１のセンサが前記物体の存在を検知した場合であっても、前記第２のセンサが、前記物体が遠ざかっていることを検知したときは、前記第３のセンサに電力を供給せず、前記第２のセンサが、前記物体が接近していることを検知したとき、前記第３のセンサに電力を供給する
ことを特徴とする請求項６に記載の物体検知装置。
【請求項８】
前記第３のセンサの出力を無線で送信する送信手段
をさらに備えることを特徴とする請求項４に記載の物体検知装置。
【請求項９】
物体を検知する第１のセンサと、
前記物体を検知する第２のセンサと、
前記第１のセンサと前記第２のセンサに電力を供給する電池とを備える
物体検知装置の物体検知方法
通常状態において、前記第２のセンサに電力を供給せずに前記第１のセンサに電力を供給し、前記第１のセンサにより異常が検知されたとき、前記第２のセンサに電力を供給するように電力供給を制御する
ことを特徴とする物体検知方法。」
イ　「【００２４】
セキュリティーシステム１は、セキュリティーカメラ１１および受信機１２により構成されている。セキュリティーカメラ１１は、屋外（例えば、家の玄関先、庭など）に設置されており、受信機１２は、屋内（例えば、屋内の玄関やリビングルームなど）に設置されている。セキュリティーカメラ１１と受信機１２は、無線で通信することが可能であり、セキュリティーカメラ１１は、内蔵する
ビデオカメラ
により取得された画像信号
ウ　「【００２５】
受信機１２は、セキュリティーカメラ１１から送信された画像信号または音声信号を受信し、受信機１２に備えられた、ＬＣＤ（Ｌｉｑｕｉｄ  Ｃｒｙｓｔａｌ  Ｄｉｓｐｌａｙ）などにより構成されるディスプレイとスピーカ（いずれも図示せず）に出力し、それらにそ
の画像
を表示
させる。これにより、
屋外に不法侵入者がいるかどうか
を
把握することができる
エ　「【００３７】
電力供給部２７を介して電池３１から常に電力が供給されて
動作状態となっている赤外線センサ２４は、
物体（人を含む）から発する赤外線を受光し、対応する検知信号を出力する動作を常に実行し
ステップＳ１において、この検知信号を読み込む
ステップＳ２において
赤外線センサ２４からの検知信号に基づいて、異常が検知されたか否かを判定する
オ　「【００４０】
ステップＳ２において異常ではないと判定された場合
処理はステップＳ１に戻り
カ　「【００４１】
ステップＳ２において異常であると判定された場合
ステップＳ３において、
マイクロ波センサ２４は動作状態となる
キ　「【００４２】
マイクロ波センサ２５は、マイクロ波を発生し、マイクロ波が物体にあたって反射されたときの反射波を検知し、その位相の変化に基づいて、物体が接近しているか、および、離反しているかを表す２つの検知信号を生成し、異常検出部５１に供給する。異常検出部５１は
ステップＳ４でマイクロ波センサ２５からの
検知信号を読み取
ステップＳ５において、
マイクロ波センサ２５から供給された
検知信号に基づいて、異常であるか否かを判定
ク　「【００４４】
このように、赤外線センサ２４により物体が検知されたとしても、物体が離反している（遠ざかっている）か、または静止しているときは（接近してこないときは）、
異常として検出されない。
処理はステップＳ１に戻り、それ以降の処理が繰り返される
ケ　「【００５１】
ステップＳ５において異常である（物体が接近している）と判定された場合
コ　「【００５３】
ステップＳ６において
ビデオカメラ
の電源はＯＦＦからＯＮに切り替わり
ビデオカメラ２２は物体などの画像を撮影することが可能となる
サ　「【００６０】
なお、本発明の実施の形態においては、
物体を検知するためのセンサとして、赤外線センサとマイクロ波センサ、さらにビデオカメラ
という３種類のセンサ
を用い
シ　「【００６１】
さらに、本発明の実施の形態においては、
消費電力の小さい順に、すなわち、赤外線センサ、マイクロ波センサ、
およびビデオカメラの順に電源をＯＦＦからＯＮに段階的に切り替えるように
ス　「【図２】
　　　　　　　　　　　　　　　　　　　　　　　　　　　　　　　　」
セ
（ア）　上記摘記事項アにおいて、「【請求項１】」の「第１のセンサ」及び「第２のセンサ」は、同摘記事項アの「【請求項３】」の「第１のセンサは赤外線センサであり、前記第２のセンサはマイクロ波センサ」のとおり、それぞれ「
赤外線センサ
マイクロ波センサ
（イ）　上記摘記事項アにおいて、「【請求項４】」の「第３のセンサ」は、同摘記事項アの「【請求項５】」の「第３のセンサは、ビデオカメラ」「である」のとおり、それぞれ「
ビデオカメラ
ソ　上記摘記事項スの図２により、
「赤外線センサ」、「マイクロ波センサ」、及び「ビデオカメラ」が、
接続されている
（２）　引用例に記載された発明の認定
　上記（１）のアないしソを含む引用例全体の記載を総合すると、引用例には、
「物体を検知する赤外線センサと、前記物体を検知するマイクロ波センサと、を備え、
　ビデオカメラをさらに備える物体検知装置の物体検知方法において、
　ビデオカメラにより取得された画像信号の画像を表示させることにより、屋外に不法侵入者がいるかどうかを把握することができるようにするために、
　動作状態となっている赤外線センサが、人を含む物体から発する赤外線を受光し、対応する検知信号を出力する動作を常に実行し、
　ステップＳ１において、この検知信号を読み込み、
　ステップＳ２において、赤外線センサからの検知信号に基づいて、異常が検知されたか否かを判定し、
　ステップＳ２において異常ではないと判定された場合、処理はステップＳ１に戻り、
　ステップＳ２において異常であると判定された場合、ステップＳ３において、マイクロ波センサは動作状態となり、
　ステップＳ４でマイクロ波センサから検知信号を読み取り、
　ステップＳ５において、マイクロ波センサから供給された検知信号に基づいて、異常であるか否かを判定し、
　異常として検出されないとき、処理はステップＳ１に戻り、それ以降の処理が繰り返され、
　ステップＳ５において物体が接近している異常であると判定された場合、ステップＳ６において、ビデオカメラの電源はＯＦＦからＯＮに切り替わり、ビデオカメラは物体などの画像を撮影することが可能となり、
　物体を検知するためのセンサとして、赤外線センサとマイクロ波センサ、さらにビデオカメラという３種類のセンサを用い、
　消費電力の小さい順に、すなわち、赤外線センサ、マイクロ波センサ、ビデオカメラの順に電源をＯＦＦからＯＮに段階的に切り替えるように、赤外線センサ、マイクロ波センサ、及びビデオカメラが接続されている、
　物体検知方法。」
の発明（以下「引用発明」という。）が記載されている。
３　本願発明と引用発明との対比
（１）　対比
ア　引用発明の「物体検知装置」、「検知する」こと、「センサ」、「消費電力の小さい順」、「電源をＯＦＦからＯＮに」「切り替える」こと、「段階」、及び「物体検知方法」は、それぞれ本願発明の「システム」、「検出する」こと、「センサ」、「電力消費量が高くなっていく順」、「起動させる」こと、「カスケード」、及び「方法」に相当する。
イ　
（ア）　引用発明の「赤外線センサとマイクロ波センサ、さらにビデオカメラという３種類のセンサ」は、この「順に電源をＯＦＦからＯＮに段階的に切り替える」ように「接続されている」から、上記アを踏まえると、引用発明の「３種類の」「段階」で「接続される「センサ」は、本願発明の「少なくとも３つのカスケード接続されるセンサ」に相当する。
（イ）　引用発明の「段階」において、「赤外線センサ、マイクロ波センサ、ビデオカメラ」の並びは、「消費電力の小さい順」となっているから、上記アを踏まえると、引用発明における「赤外線センサ、マイクロ波センサ、ビデオカメラ」が、「段階」において、各々の「消費電力の小さい順」に並べられることと、本願発明の「前記センサが、前記カスケードにおいて、各々の電力消費量が高くなっていく順に、且つ各々のセンサ精度が高くなっていく順に、並べられる」こととは、「前記センサが、前記カスケードにおいて、各々の電力消費量が高くなっていく順に、並べられる」点で共通する。
（ウ）　引用発明の「屋外に不法侵入者がいるかどうかを把握する」における「屋外」とは、引用発明の「物体検知装置」を用いて「不法侵入者がいるかどうかを把握する」対象として定められたものである。よって、引用発明の、定められた「屋外」は、本願発明の「所定の空間」に相当する。
（エ）　上記アを踏まえると、引用発明の「物体を検知する」ことは、本願発明の「存在を検出する」ことに相当する。
（オ）　上記ア及び上記（ア）ないし（エ）を踏まえると、引用発明の「３種類の」「段階」で「接続され」る「センサ」を備える「物体検知装置」であって、「赤外線センサ、マイクロ波センサ、ビデオカメラ」が、「段階」において、各々の「消費電力の小さい順」に並べられる「物体検知装置」を用いて、定められた「屋外」内の「物体を検知する」「物体検知方法」と、本願発明の「少なくとも３つのカスケード接続されるセンサを有するシステムであって、前記センサが、前記カスケードにおいて、各々の電力消費量が高くなっていく順に、且つ各々のセンサ精度が高くなっていく順に、並べられるシステムを用いて、所定の空間内の存在を検出する方法」とは、「少なくとも３つのカスケード接続されるセンサを有するシステムであって、前記センサが、前記カスケードにおいて、各々の電力消費量が高くなっていく順に、並べられるシステムを用いて、所定の空間内の存在を検出する方法」の点で共通する。
ウ　引用発明では、「赤外線センサ、マイクロ波センサ、ビデオカメラの順に電源をＯＦＦからＯＮに段階的に切り替える」のであるから、「段階」の最初の「センサ」である「赤外線センサ」について、「動作状態」とする前のステップとして、まず「電源をＯＦＦからＯＮに」「切り替える」こととなっている。
　よって、上記アを踏まえると、引用発明の「赤外線センサ」の「電源をＯＦＦからＯＮに」「切り替える」ステップは、本願発明の「前記カスケード内の最初のセンサを起動させるステップａ）」に相当する。
エ
（ア）　引用発明の「赤外線センサ」は「物体を検知する」ものであるから、「赤外線センサが、人を含む物体から発する赤外線を受光し、対応する検知信号を出力する」ことによって、「赤外線センサからの検知信号に基づいて」「検知」されるものは、上記イ（エ）を踏まえると、「物体」、特に「人を含む物体」、の存在である。よって、引用発明の「ステップＳ２において、赤外線センサからの検知信号に基づいて、異常が検知されたか否か」における「異常」は、本願発明の（物体、特に人を含む物体の）「存在」に相当する。
（イ）　引用発明では、「ステップＳ２において異常ではないと判定され」ない間は、「ステップＳ１において、この検知信号を読み込み、ステップＳ２において、赤外線センサからの検知信号に基づいて、異常が検知されたか否かを判定し、ステップＳ２において異常ではないと判定された場合、処理はステップＳ１に戻」ることを繰り返す「ステップＳ１」及び「ステップＳ２」が行われており、「ステップＳ２において異常であると判定された場合、ステップＳ３」に移行することとなっている。
　よって、上記「ステップＳ１」及び「ステップＳ２」は、「ステップＳ２において異常であると判定され」るまで、すなわち、「赤外線センサ」が「異常」を「検知」するまで、「ステップＳ１」から「ステップＳ２」へ進み、「ステップＳ１に戻」ることを繰り返すことにより、「ステップＳ３」に移行することを待つものとなっている。
　したがって、上記ウ及び上記（ア）を踏まえると、引用発明における、「赤外線センサ」が「異常」を「検知」するまで繰り返される「ステップＳ１」及び「ステップＳ２」は、本願発明における、「前記最初のセンサが存在を検出するまで待つステップｂ）」に相当する。
オ
（ア）　上記エ（ア）を踏まえると、引用発明の「ステップＳ２において異常であると判定された場合」とは、「人を含む物体」の存在が「検知」される「場合」である。よって、引用発明における、「異常であると判定された場合」は、本願発明における「存在が検出される場合」に相当する。
（イ）　引用発明の「マイクロ波センサ」は、「段階」内の「赤外線センサ、マイクロ波センサ、ビデオカメラ」の並びにおいて、「赤外線センサ」の次の「センサ」である。よって、引用発明の「マイクロ波センサ」は、本願発明の「前記カスケード内の次のセンサ」に相当する。
（ウ）　引用発明において、「マイクロ波センサ」を「動作状態とな」るようにすることが、「マイクロ波センサ」の「電源をＯＦＦからＯＮに」「切り替える」ことを意味することは自明である。
　よって、上記ア並びに上記（ア）及び（イ）を踏まえると、引用発明における、「異常であると判定された場合」、「マイクロ波センサ」の「電源をＯＦＦからＯＮに」「切り替える」「ステップＳ３」は、本願発明の「存在が検出される場合、前記カスケード内の次のセンサを起動させるステップｃ）」に相当する。
カ
（ア）　引用発明の「マイクロ波センサ」が「物体を検知する」ものであること、及び上記イ（エ）を踏まえると、「マイクロ波センサから供給された検知信号に基づいて」「検知」されるものは「物体」の存在である。よって、引用発明の「マイクロ波センサから供給された検知信号に基づいて、異常であるか否かを判定し、」における「異常」は、本願発明の（物体の）「存在」に相当する。
（イ）　引用発明の「ステップＳ５において、マイクロ波センサから供給された検知信号に基づいて、異常であるか否かを判定し」た結果、「ステップＳ５において物体が接近している異常であると判定」することができることを踏まえると、「マイクロ波センサから供給された検知信号に基づいて」「検知」されるものは「物体が接近している」こと、すなわち「接近している」「物体」の存在である。よって、引用発明の「マイクロ波センサから供給された検知信号に基づいて、異常であるか否かを判定し、」における「異常」は、本願発明の（接近している物体の）「存在」に相当する。
（ウ）　上記（ア）及び（イ）のいずれを踏まえたとしても、引用発明の「異常」は、本願発明の（物体、又は接近している物体の）「存在」に相当する。
　よって、引用発明の「マイクロ波センサから供給された検知信号に基づいて、異常であるか否かを判定」する「ステップＳ５において」「異常として検出」することは、「マイクロ波センサ」が（「物体」、又は「接近している」「物体」の）存在を「検出」することを意味している。
　したがって、上記オ（イ）を踏まえると、引用発明において、「マイクロ波センサから供給された検知信号に基づいて」「異常として検出」することは、本願発明において、「前記次のセンサが存在を検出する」ことに相当する。
（エ）　引用発明では、「マイクロ波センサから供給された検知信号に基づいて、異常であるか否かを判定」する「ステップＳ５において」「異常であると判定された場合、ステップＳ６において、ビデオカメラの電源はＯＦＦからＯＮに切り替わ」ることとなっている。
　よって、引用発明では、「ステップＳ５において」「異常として検出」された場合、「ビデオカメラ」の「電源をＯＦＦからＯＮに」「切り替える」こととなっている。そして、上記ウ及び上記オ（ウ）のとおり、「赤外線センサ」及び「マイクロ波センサ」の「電源」は既に「ＯＦＦからＯＮに」「切り替え」られているから、このように「ビデオカメラ」の「電源をＯＦＦからＯＮに」「切り替え」るように「切り替え」ることを繰り返した結果、最終的には「段階」内の「赤外線センサ、マイクロ波センサ、ビデオカメラ」という全ての「センサ」の「電源」が「ＯＦＦからＯＮに」「切り替え」られたことになる。
　また、引用発明の「ビデオカメラ」は、「段階」の「赤外線センサ、マイクロ波センサ、ビデオカメラ」の並びの中で、「マイクロ波センサ」の次の「センサ」である。
　したがって、引用発明の「段階」内の全ての「センサ」の「電源」が「ＯＦＦからＯＮに」「切り替え」られるまで、「段階」内の次の「センサ」の「電源をＯＦＦからＯＮに」「切り替え」ることを繰り返すことは、本願発明の「前記カスケード内の全てのセンサが起動されるまでステップｃ）を繰り返」すことに相当する。
（オ）　引用発明では、「ステップＳ５において、マイクロ波センサから供給された検知信号に基づいて、異常であるか否かを判定し」ても「異常として検出されないとき、処理はステップＳ１に戻り、それ以降の処理が繰り返され」ることとなっている。よって、上記エ（イ）を踏まえると、「ステップＳ５において、マイクロ波センサ」が「異常」を「検出」しないときには、「赤外線センサ」が「異常」を「検知」するまで繰り返される「ステップＳ１」及び「ステップＳ２」に戻ることとなる。
　したがって、上記（ウ）及び上記エ（イ）を踏まえると、引用発明において、「マイクロ波センサから供給された検知信号に基づいて、異常であるか否かを判定し」ても「異常として検出されないとき、処理はステップＳ１に戻り、それ以降の処理が繰り返され」ることは、本願発明において、「前記次のセンサが存在を検出しない場合、ステップｂ）に戻る」ことに相当する。
（カ）　上記（ウ）ないし（オ）を踏まえると、引用発明における、「マイクロ波センサから供給された検知信号に基づいて」、「異常として検出」された場合、「ビデオカメラ」の「電源をＯＦＦからＯＮに」「切り替え」、又は「異常として検出されないとき、処理はステップＳ１に戻り、それ以降の処理が繰り返され」るようにした「ステップＳ５」は、本願発明の「前記次のセンサが存在を検出する場合、前記カスケード内の全てのセンサが起動されるまでステップｃ）を繰り返し、又は前記次のセンサが存在を検出しない場合、ステップｂ）に戻るステップｄ）」に相当する。
キ
（ア）　引用発明の「ビデオカメラ」は、「段階」内の「赤外線センサ、マイクロ波センサ、ビデオカメラ」の並びの中で最終の「センサ」である。よって、引用発明の「ビデオカメラ」は、本願発明の「前記カスケード内の最終センサ」に相当する。
（イ）　引用発明の「ビデオカメラ」は、「赤外線センサとマイクロ波センサ」と同じく「物体を検知するためのセンサ」である。よって、上記（ア）及び上記イ（エ）を踏まえると、引用発明の「ビデオカメラ」が「物体を検知する」ことと、本願発明の「前記カスケード内の最終センサが存在を検出するのに応じて確認メッセージを出力装置に送信するステップｅ）」とは、「前記カスケード内の最終センサが存在を検出する」点で共通する。
（２）　一致点
　よって、本願発明と引用発明とは、
「少なくとも３つのカスケード接続されるセンサを有するシステムであって、前記センサが、前記カスケードにおいて、各々の電力消費量が高くなっていく順に、並べられるシステムを用いて、所定の空間内の存在を検出するための方法であって、
　前記カスケード内の最初のセンサを起動させるステップａ）と、
　前記最初のセンサが存在を検出するまで待つステップｂ）と、
　存在が検出される場合、前記カスケード内の次のセンサを起動させるステップｃ）と、
　前記次のセンサが存在を検出する場合、前記カスケード内の全てのセンサが起動されるまでステップｃ）を繰り返し、又は前記次のセンサが存在を検出しない場合、ステップｂ）に戻るステップｄ）と、を有し、
　前記カスケード内の最終センサが存在を検出する、方法。」
の発明である点で一致し、次の点で相違する。
　
（３）　相違点
　（相違点１）
　本願発明では、センサが、カスケードにおいて、各々のセンサ精度が高くなっていく順にも並べられているのに対し、引用発明では、その点が明記されていない点。
　（相違点２）
　本願発明では、カスケード内の最終センサが存在を検出するのに応じて確認メッセージを出力装置に送信するステップｅ）を有するのに対し、引用発明ではその点が記載されていない点。
４　当審の判断
　各相違点について検討する。
（１）相違点１について
ア
（ア）　引用発明の「赤外線センサ」及び「マイクロ波センサ」は、いずれも「物体を検知する」ものであるところ、この「物体」が「接近している」「物体」であるか否かは「マイクロ波センサ」によらなければ判定することができない。この点で、「マイクロ波センサ」は、「異常」の判定において「赤外線センサ」よりもセンサ精度が高い「センサ」ということができるから、この意味で、引用発明の「赤外線センサ、マイクロ波センサ」は、カスケードにおいて、センサ精度が高くなっていく順に並んでいると言える。
（イ）　一般に赤外線センサは、入射する赤外線を単にセンシングするという測定原理のため、屋外環境下では例えば入射日光による誤検出を発生しうるものである一方、マイクロ波センサは「マイクロ波を発生し、マイクロ波が物体にあたって反射されたときの反射波を検知」（上記「２」の（１）の摘記事項キを参照。）するという測定原理のため、屋外環境下でも上記入射日光による誤検出を発生しにくいことが技術常識である。よって、屋外環境下にあっては、マイクロ波センサは、入射日光による誤検出の発生が抑制されているという点で、赤外線センサよりもセンサ精度が高いものとなっている。
　そして、引用発明の「赤外線センサ」及び「マイクロ波センサ」は、「屋外」環境下で用いられるため、当該「マイクロ波センサ」が単に「物体を検知するマイクロ波センサ」であっても、引用発明の「赤外線センサ、マイクロ波センサ」は、上記技術常識を考慮すると、入射日光による誤検出の発生が抑制されているという点で、カスケードにおいて、センサ精度が高くなっていく順に並んでいると言える。
（ウ）　上記（ア）及び（イ）のいずれの意味においても、引用発明の「赤外線センサ、マイクロ波センサ」は、カスケードにおいて、センサ精度が高くなっていく順に並んでいる。
イ　引用発明において「屋外に不法侵入者がいるかどうかを把握する」には、「ビデオカメラにより取得された画像信号の画像」を用いることとなっている。
　一方、引用発明の「マイクロ波センサ」では、「物体」の存在、又は精々「物体が接近しているか、および、離反しているか」（上記「２」の（１）の摘記事項キを参照。）を検知することしかできないから、当該「物体」が「不法侵入者」であるか否かは、上記「ビデオカメラにより取得された画像信号の画像」によらなければ把握することができない。
　よって、引用発明の「ビデオカメラ」は、「マイクロ波センサ」では検知することのできない、「不法侵入者」であるか否かという情報を最終的に把握することを可能にするものであるから、「異常」の判定において「マイクロ波センサ」よりもセンサ精度が高いものである。
　したがって、引用発明の「マイクロ波センサ、ビデオカメラ」は、カスケードにおいて、センサ精度が高くなっていく順に並んでいる。
ウ　上記ア（ウ）及びイを踏まえると、引用発明の「赤外線センサ、マイクロ波センサ、ビデオカメラ」は、上記相違点１に係る本願発明の発明特定事項と同じく、カスケードにおいて、センサ精度が高くなっていく順に並んでいると言える。
　よって、上記相違点１は、実質的な相違点ではない。
（２）　相違点２について
ア　一般に、カメラで得られた監視領域の画像から侵入者があるか否かを判断して、侵入者を検知した場合に、警報（確認メッセージ）を出力する手段に送信することは、例えば原査定の拒絶の理由に引用され、本願の優先日前に頒布された刊行物である特開２００１−１１８１６１号公報（段落【００１５】−【００１７】を参照。）に記載されているように、本願の優先日前において周知の監視技術である。
イ　一方、引用発明の「ビデオカメラ」、すなわちカスケード内の最終センサ、において、存在を検出する目的は、「ビデオカメラにより取得された画像信号の画像」から「屋外に不法侵入者がいるかどうかを把握する」ことにある。
　よって、引用発明には、「ビデオカメラ」により取得された「画像」に基づいて、「屋外に不法侵入者がいるかどうかを把握する」ための具体的な手法を明らかにする必要がある、という自明の課題が内在している。
ウ　上記ア及びイを踏まえると、引用発明において上記イの自明の課題を解決するために、上記アの周知の監視技術を採用して、「ビデオカメラ」により取得された「画像」から「不法侵入者」があるか否かを判断して、「不法侵入者」を検知した場合に、警報（確認メッセージ）を出力する手段に送信することにより、上記相違点２に係る本願発明の発明特定事項のように構成することは、当業者が容易に想到しうることである。
（３）　本願発明の奏する作用効果
　
　また、本願発明の作用効果は、引用発明及び上記周知の監視技術から、当業者が予測できる範囲のものである。
（４）　まとめ
　したがって、本願発明は、引用発明及び上記周知の監視技術に基づいて、当業者が容易に発明をすることができたものである。
５　むすび
　以上のとおりであるから、本願発明は、特許法第２９条第２項の規定により特許を受けることができない。
　したがって、その余の請求項に係る発明について論及するまでもなく、本願は拒絶すべきものである。
　よって、結論のとおり審決する。